(57)【要約】  本発明は、アップリンク電力制御方法、システム及びシステムを開示する。当該方法は、ネットワーク側装置がユーザ装置のアップリンク信号のために少なくとも２組のアップリンク電力制御パラメータを設定するステップと、設定した各組のアップリンク電力制御パラメータを前記ユーザ装置へ通知し、前記ユーザ装置が前記アップリンク信号の発送電力を確定できるようにするステップとを備える。本発明の技術案によれば、アップリンク発送電力を柔軟に制御することができる。
2015518304.tif 000002
【特許請求の範囲】
【請求項１】
ネットワーク側装置が、ユーザ装置のアップリンク信号のために、少なくとも２組のアップリンク電力制御パラメータを設定するステップと、
設定した各組のアップリンク電力制御パラメータを前記ユーザ装置へ通知して、前記ユーザ装置が前記アップリンク信号の発送電力を確定できるようにするステップとを備えることを特徴とするアップリンク電力制御方法。
【請求項２】
設定した各組のアップリンク電力制御パラメータを前記ユーザ装置に通知するステップは、
上位層シグナリングを介して、設定した各組のアップリンク電力制御パラメータを前記ユーザ装置へ通知することを備えることを特徴とする請求項１に記載のアップリンク電力制御方法。
【請求項３】
ネットワーク側装置が、ユーザ装置のアップリンク信号のために少なくとも２組のアップリンク電力制御パラメータを設定するステップは、
ネットワーク側装置がアップリンク・サブフレームの干渉状態に基づいて、ユーザ装置のアップリンク信号のために少なくとも２組のアップリンク電力制御パラメータを設定することを備えることを特徴とする請求項１に記載のアップリンク電力制御方法。
【請求項４】
ネットワーク側装置が、アップリンク・サブフレームの干渉状態に基づいて、ユーザ装置のアップリンク信号のために、少なくとも２組のアップリンク電力制御パラメータを設定することは、
ネットワーク側装置が、アップリンク・サブフレームの各種のサブフレーム類型に対し、ユーザ装置のアップリンク信号のために、それぞれ少なくとも１組のアップリンク電力制御パラメータを設定することを備え、
アップリンク・サブフレームのサブフレーム類型は、可変アップリンク・サブフレームと、固定アップリンク・サブフレームとを備えることを特徴とする請求項３に記載のアップリンク電力制御方法。
【請求項５】
ネットワーク側装置は、サブフレーム類型とアップリンク電力制御パラメータ組間の対応関係係を前記ユーザ装置へ送信することを特徴とする請求項４に記載のアップリンク電力制御方法。
【請求項６】
ネットワーク側装置が、アップリンク・サブフレームの干渉状態に基づいて、ユーザ装置のアップリンク信号のために少なくとも２組のアップリンク電力制御パラメータを設定することは、
ネットワーク側装置が、固定アップリンク・サブフレームを１つのサブフレーム組に区画し、可変サブフレームを少なくとも１つのサブフレーム組に区画することと、
区画した各サブフレーム組に対し、ユーザ装置のアップリンク信号のためにそれぞれ少なくとも１組のアップリンク電力制御パラメータを設定することとを備えることを特徴とする請求項３に記載のアップリンク電力制御方法。
【請求項７】
ネットワーク側装置がサブフレーム組とアップリンク電力制御パラメータ組間の対応関係係を前記ユーザ装置へ送信することをさらに備えることを特徴とする請求項３に記載のアップリンク電力制御方法。
【請求項８】
前記ユーザ装置が前記アップリンク信号を送信する場合、ネットワーク側装置が設定した各組のアップリンク電力制御パラメータから、前記ユーザ装置のために、１組のアップ  リンク電力制御パラメータを選択するステップと、
選択したアップリンク電力制御パラメータ組の組識別子を、前記ユーザ装置へ送信するステップとを備えることを特徴とする請求項１に記載のアップリンク電力制御方法。
【請求項９】
アップリンク・サブフレームの各種のサブフレーム類型は、それぞれ少なくとも１組のアップリンク電力制御パラメータに対応し、アップリンク・サブフレームのサブフレーム類型は、可変アップリンク・サブフレームと、固定アップリンク・サブフレームとを含み、
ネットワーク側装置が設定した各組のアップリンク電力制御パラメータから、前記ユーザ装置のために、１組のアップリンク電力制御パラメータを選択するステップは、
ネットワーク側装置が、ユーが前記アップリンク信号を送信するアップリンク・サブフレームのサブフレーム類型を確定することと、
設定した各組のアップリンク電力制御パラメータから、確定したサブフレーム類型に対応するアップリンク電力制御パラメータを１組選択することを備えることを特徴とする請求項８に記載のアップリンク電力制御方法。
【請求項１０】
アップリンク・サブフレームにおける各サブフレーム組は、それぞれ少なくとも１組のアップリンク電力制御パラメータに対応し、固定アップリンク・サブフレームが１つのサブフレーム組に対応し、可変アップリンク・サブフレームが少なくとも１つのサブフレーム組に対応し、
ネットワーク側装置が設定した各組のアップリンク電力制御パラメータから、前記ユーザ装置のために、１組のアップリンク電力制御パラメータを選択するステップは、
ネットワーク側装置が、ユーが前記アップリンク信号を送信するアップリンク・サブフレームの所属サブフレーム組を確定することと、
設定した各組のアップリンク電力制御パラメータから、確定したサブフレーム組に対応するアップリンク電力制御パラメータを１組を選択することとを備えることを特徴とする請求項８に記載のアップリンク電力制御方法。
【請求項１１】
選択したアップリンク電力制御パラメータ組の組識別子を、前記ユーザ装置へ送信するステップは、
ネットワーク側装置が、物理ダウンリンク制御チャネル（PDCCH）を介して、選択したアップリンク電力制御パラメータ組の組識別子を、前記ユーザ装置へ送信することを特徴とする請求項８に記載のアップリンク電力制御方法。
【請求項１２】
前記アップリンク信号のアップリンク電力制御パラメータは、前記アップリンク信号の受信電力目標値であることを特徴とする請求項１に記載のアップリンク電力制御方法。
【請求項１３】
前記アップリンク信号は、物理アップリンク共有チャネル（PUSCH）、物理アップリンク制御チャネル（PUCCH）またはサウンディング参考信号（SRS）であることを特徴とする請求項１に記載のアップリンク電力制御方法。
【請求項１４】
前記アップリンク信号はPUSCHであり、前記アップリンク信号のアップリンク電力制御パラメータは各種別PUSCHの受信電力目標値PO_PUSCH（j）であり、jはPUSCHの種別識別子であり、０、１または２の値にし、
ネットワーク側装置がユーザ装置のアップリンク信号のために少なくとも２組のアップリンク電力制御パラメータを設定するステップは、
ネットワーク側装置が、各種別PUSCHの受信電力目標値からPO_PUSCH（k）を選択し，kが０、１、２のうちの少なくとも１つの値であることと、
ネットワーク側装置が、選択したPO_PUSCH（k）に対し、ユーザ装置のためにパラメータ値PO_PUSCH_s１（k）、….、PO_PUSCH_sN（k）を設定し、Nが設定する必要があるアップリンク電力制御パラメータ組数であることとを備えることを特徴とする請求項１３に記載のアップリンク電力制御方法。
【請求項１５】
ユーザ装置のアップリンク信号のために少なくとも２組のアップリンク電力制御パラメータを設定する制御パラメータ組の設定ユニットと
制御パラメータ組の設定ユニットにより設定した各組のアップリンク電力制御パラメータを、前記ユーザ装置へ通知して、前記ユーザ装置が前記アップリンク信号の発送電力を確定できるようにする制御パラメータ組の送信ユニットとを備えることを特徴とするネットワーク側装置。
【請求項１６】
前記制御パラメータ組の送信ユニットは、上位層シグナリングを介して、制御パラメータ組の設定ユニットが設定した各組のアップリンク電力制御パラメータを、前記ユーザ装置へ通知することを特徴とする請求項１５に記載のネットワーク側装置。
【請求項１７】
前記制御パラメータ組の設定ユニットは、アップリンク・サブフレームの干渉状態に基づいて、ユーザ装置のアップリンク信号のために少なくとも２組のアップリンク電力制御パラメータを設定することを特徴とする請求項１５に記載のネットワーク側装置。
【請求項１８】
前記制御パラメータ組の設定ユニットは、アップリンク・サブフレームの各種のサブフレーム類型に対し、ユーザ装置のアップリンク信号のために、それぞれ少なくとも１組のアップリンク電力制御パラメータを設定し、アップリンク・サブフレームのサブフレーム類型は、可変アップリンク・サブフレームと、固定アップリンク・サブフレームとを含むことを特徴とする請求項１７に記載のネットワーク側装置。
【請求項１９】
サブフレーム類型とアップリンク電力制御パラメータ組間の対応関係係を、前記ユーザ装置へ送信する第１対応関係送信ユニットを備えることを特徴とする請求項１８に記載のネットワーク側装置。
【請求項２０】
前記制御パラメータ組の設定ユニットは、
固定アップリンク・サブフレームを１つのサブフレーム組に区画し、可変サブフレームを少なくとも１つのサブフレーム組に区画するサブフレーム組区画サブユニットと、
サブフレーム組区画サブユニットが区画した各サブフレーム組に対し、ユーザ装置のアップリンク信号のために、それぞれ少なくとも１組のアップリンク電力制御パラメータを設定する第１制御パラメータ組設定サブユニットとを備えることを特徴とする請求項１８に記載のネットワーク側装置。
【請求項２１】
サブフレーム組とアップリンク電力制御パラメータ組間の対応関係係を前記ユーザ装置へ送信する第２対応関係送信ユニットを備えることを特徴とする請求項２０に記載のネットワーク側装置。
【請求項２２】
前記ユーザ装置が前記アップリンク信号を送信する場合、制御パラメータ組の設定ユニットが設定した各組のアップリンク電力制御パラメータから、前記ユーザ装置のために、１組のアップリンク電力制御パラメータを選択する制御パラメータ組選択ユニットと、
制御パラメータ組選択ユニットが選択したアップリンク電力制御パラメータ組の組識別子を前記ユーザ装置へ送信する制御パラメータ組の送信ユニットとを備えることを特徴とする請求項１５に記載のネットワーク側装置。
【請求項２３】
アップリンク・サブフレームの各種のサブフレーム類型はそれぞれ少なくとも１組のアップリンク電力制御パラメータに対応し、アップリンク・サブフレームのサブフレーム類型は、可変アップリンク・サブフレームと、固定アップリンク・サブフレームとを備え、
前記制御パラメータ組選択ユニットは、
ユーザ装置が前記アップリンク信号を送信するアップリンク・サブフレームのサブフレーム類型を確定するサブフレーム類型確定サブユニットと、
制御パラメータ組の設定ユニットが設定した各組のアップリンク電力制御パラメータから、サブフレーム類型確定サブユニットが確定したサブフレーム類型に対応するアップリンク電力制御パラメータを１組選択する第１制御パラメータ組選択サブユニットとを備えることを特徴とする請求項２２に記載のネットワーク側装置。
【請求項２４】
アップリンク・サブフレームにおける各サブフレーム組は、それぞれ少なくとも１組のアップリンク電力制御パラメータに対応し、固定アップリンク・サブフレームが１つのサブフレーム組に対応し、可変アップリンク・サブフレームが少なくとも１つのサブフレーム組に対応し、
前記制御パラメータ組選択ユニットは、
ユーザ装置が前記アップリンク信号を送信するアップリンク・サブフレームの所属サブフレーム組を確定するサブフレーム組確定サブユニットと、
制御パラメータ組の設定ユニットが設定した各組のアップリンク電力制御パラメータから、サブフレーム組確定サブユニットが確定したサブフレーム組に対応するアップリンク電力制御パラメータを１組選択する第２制御パラメータ組選択サブユニットとを備えることを特徴とする請求項２２に記載のネットワーク側装置。
【請求項２５】
前記制御パラメータ組の送信ユニットは、物理ダウンリンク制御チャネル（PDCCH）を介して、制御パラメータ組選択ユニットが選択したアップリンク電力制御パラメータ組の組識別子を前記ユーザ装置へ送信することを特徴とする請求項２２に記載のネットワーク側装置。
【請求項２６】
前記アップリンク信号のアップリンク電力制御パラメータは、前記アップリンク信号の受信電力目標値であることを特徴とする請求項２２に記載のネットワーク側装置。
【請求項２７】
前記アップリンク信号は、物理アップリンク共有チャネル（PUSCH）、物理アップリンク制御チャネル（PUCCH）またはサウンディング参考信号（SRS）であることを特徴とする請求項１５に記載のネットワーク側装置。
【請求項２８】
前記アップリンク信号は、PUSCHであり、前記アップリンク信号のアップリンク電力制御パラメータは各種別PUSCHの受信電力目標値PO_PUSCH（j）であり、jはPUSCHの種別識別子であり、０、１または２の値にし、
前記制御パラメータ組の設定ユニットは、
各種別PUSCHの受信電力目標値からPO_PUSCH（k）を選択し、kが０、１、２のうちの少なくとも１つの値である目標値選択サブユニットと、
目標値選択サブユニットが選択したPO_PUSCH（k）に対し、ユーザ装置のためにパラメータ値PO_PUSCH_s１（k）、…、PO_PUSCH_sN（k）を設定し、Nが設定する必要があるアップリンク電力制御パラメータ組数である第２制御パラメータ組設定サブユニットとを備えることを特徴とする請求項２７に記載のネットワーク側装置。
【請求項２９】
ユーザ装置が、ネットワーク側装置から通知した、アップリンク信号に対応する各組のアップリンク電力制御パラメータを獲得するステップと、
前記アップリンク信号の送信が必要となる場合、ユーザ装置が、ネットワーク側装置から通知した各組のアップリンク電力制御パラメータから、１組のアップリンク電力制御パラメータを選択するステップと、
選択した当該組アップリンク電力制御パラメータに基づいて、前記アップリンク信号の発送電力を確定するステップとを備えることを特徴とするアップリンク電力制御方法。
【請求項３０】
ユーザ装置が、ネットワーク側装置から通知した、アップリンク信号に対応する各組のアップリンク電力制御パラメータを獲得するステップは、
ユーザ装置が、上位層シグナリングを介して、ネットワーク側装置から通知したアップリンク信号に対応する各組のアップリンク電力制御パラメータを獲得する事を備えることを特徴とする請求項２9に記載のアップリンク電力制御方法。
【請求項３１】
ユーザ装置が、ネットワーク側装置から通知した各組のアップリンク電力制御パラメータから、１組のアップリンク電力制御パラメータを選択するステップは、
ユーザ装置が、ネットワーク側装置が送信したサブフレーム類型とアップリンク電力制御パラメータ組間の対応関係係を受信することと、
前記アップリンク信号を送信するアップリンク・サブフレームのサブフレーム類型を確定し、サブフレーム類型が可変アップリンク・サブフレームと固定アップリンク・サブフレームを含むことと、
ユーザ装置が、受信したサブフレーム類型とアップリンク電力制御パラメータ組間の対応関係係に基づいて、ネットワーク側装置が通知した各組のアップリンク電力制御パラメータから、確定したサブフレーム類型に対応するアップリンク電力制御パラメータを１組選択することとを備えることを特徴とする請求項２9に記載のアップリンク電力制御方法。
【請求項３２】
ユーザ装置が、ネットワーク側装置から通知した各組のアップリンク電力制御パラメータから、１組のアップリンク電力制御パラメータを選択するステップは、
ユーザ装置が、ネットワーク側装置が送信したサブフレーム組とアップリンク電力制御パラメータ組間の対応関係係を受信することと、
前記アップリンク信号を送信するアップリンク・サブフレームの所属サブフレーム組を確定し、ここで、固定アップリンク・サブフレームが１つのサブフレーム組に対応し、可変アップリンク・サブフレームが少なくとも１つのサブフレーム組に対応することと、
ユーザ装置が、受信したサブフレーム組とアップリンク電力制御パラメータ組間の対応関係係に基づいて、ネットワーク側装置が通知した各組のアップリンク電力制御パラメータから、確定したサブフレーム組に対応するアップリンク電力制御パラメータを１組選択することとを備えることを特徴とする請求項２9に記載のアップリンク電力制御方法。
【請求項３３】
ユーザ装置が、ネットワーク側装置から通知した各組のアップリンク電力制御パラメータから、１組のアップリンク電力制御パラメータを選択するステップは、
ユーザ装置が、ネットワーク側装置が送信したアップリンク電力制御パラメータ組の組識別子を受信することと、
受信した組識別子に基づいて、ネットワーク側装置が通知した各組のアップリンク電力制御パラメータから対応するアップリンク電力制御パラメータ組を選択することとを備えることを特徴とする請求項２9に記載のアップリンク電力制御方法。
【請求項３４】
ユーザ装置がネットワーク側装置が送信したアップリンク電力制御パラメータ組の組識別子を受信することは、
ユーザ装置が、物理ダウンリンク制御チャネル（PDCCH）を介して、ネットワーク側装置が送信したアップリンク電力制御パラメータ組の組識別子を受信することを備えることを特徴とする請求項３３に記載のアップリンク電力制御方法。
【請求項３５】
前記アップリンク信号のアップリンク電力制御パラメータは、前記アップリンク信号の受信電力目標値であることを特徴とする請求項２9に記載のアップリンク電力制御方法。
【請求項３６】
前記アップリンク信号は、物理アップリンク共有チャネル（PUSCH）、物理アップリンク制御チャネル（PUCCH）またはサウンディング参考信号（SRS）であることを特徴とする請求項２9に記載のアップリンク電力制御方法。
【請求項３７】
ネットワーク側装置から通知したアップリンク信号に対応する各組のアップリンク電力制御パラメータを獲得する制御パラメータ組獲得ユニットと、
前記アップリンク信号の送信が必要となる場合、制御パラメータ組獲得ユニットが獲得した各組のアップリンク電力制御パラメータから１組のアップリンク電力制御パラメータを選択する制御パラメータ組選択ユニットと、
制御パラメータ組選択ユニットにより選択した当該組のアップリンク電力制御パラメータに基づいて、前記アップリンク信号の発送電力を確定し発送電力確定ユニットとを備えることを特徴とするユーザ装置。
【請求項３８】
前記制御パラメータ組獲得ユニットは、上位層シグナリングを介して、ネットワーク側装置から通知したアップリンク信号に対応する各組のアップリンク電力制御パラメータを獲得することを特徴とする請求項３７に記載のユーザ装置。
【請求項３９】
前記制御パラメータ組選択ユニットは、
ネットワーク側装置が送信したサブフレーム類型とアップリンク電力制御パラメータ組間の対応関係係を受信する第１対応関係受信サブユニットと、
前記アップリンク信号を送信するアップリンク・サブフレームのサブフレーム類型を確定し、サブフレーム類型が可変アップリンク・サブフレームと固定アップリンク・サブフレームを含むサブフレーム類型確定サブユニットと、
第１対応関係受信サブユニットが受信したサブフレーム類型とアップリンク電力制御パラメータ組間の対応関係係に基づいて、制御パラメータ組獲得ユニットが獲得した各組のアップリンク電力制御パラメータから、サブフレーム類型確定サブユニットが確定したサブフレーム類型に対応するアップリンク電力制御パラメータを１組選択する第１制御パラメータ組選択サブユニットことを特徴とする請求項３７に記載のユーザ装置。
【請求項４０】
前記制御パラメータ組選択ユニットは、
ネットワーク側装置が送信したサブフレーム組とアップリンク電力制御パラメータ組間の対応関係係を受信する第２対応関係受信サブユニットと、
前記アップリンク信号を送信するアップリンク・サブフレームの所属サブフレーム組を確定し、ここで、固定アップリンク・サブフレームが１つのサブフレーム組に対応し、可変アップリンク・サブフレームが少なくとも１つのサブフレーム組に対応するサブフレーム組確定サブユニットと、
第２対応関係受信サブユニットが受信したサブフレーム組とアップリンク電力制御パラメータ組間の対応関係係の対応関係に基づいて、制御パラメータ組獲得ユニットが獲得した各組のアップリンク電力制御パラメータから、サブフレーム組確定サブユニットが確定したサブフレーム組に対応するアップリンク電力制御パラメータを１組選択する、第２制御パラメータ組選択サブユニットとを備えることを特徴とする請求項３７に記載のユーザ装置。
【請求項４１】
前記制御パラメータ組選択ユニットは、
ネットワーク側装置が送信したアップリンク電力制御パラメータ組の組識別子を受信する組識別子受信サブユニットと、
組識別子受信サブユニットが受信した組識別子に基づいて、制御パラメータ組獲得ユニットが獲得した各組のアップリンク電力制御パラメータから、対応するアップリンク電力制御パラメータ組を選択する第３制御パラメータ組選択サブユニットとを備えることを特徴とする請求項３７に記載のユーザ装置。
【請求項４２】
前記組識別子受信サブユニットは、物理ダウンリンク制御チャネル（PDCCH）を介して、ネットワーク側装置が送信したアップリンク電力制御パラメータ組の組識別子を受信することを特徴とする請求項４１に記載のユーザ装置。
【請求項４３】
前記アップリンク信号のアップリンク電力制御パラメータは、前記アップリンク信号の受信電力目標値であることを特徴とする請求項３７に記載のユーザ装置。
【請求項４４】
前記アップリンク信号は、物理アップリンク共有チャネル（PUSCH）、物理アップリンク制御チャネル（PUCCH）またはサウンディング参考信号（SRS）であることを特徴とする請求項３７に記載のユーザ装置。
【請求項４５】
ユーザ装置のアップリンク信号のために少なくとも２組のアップリンク電力制御パラメータを設定し、且つ設定した各組のアップリンク電力制御パラメータを前記ユーザ装置へ通知するネットワーク側装置と、
前記アップリンク信号の送信が必要となる場合、ネットワーク側装置が通知した各組のアップリンク電力制御パラメータから１組のアップリンク電力制御パラメータを選択し、選択した当該組のアップリンク電力制御パラメータに基づいて、前記アップリンク信号の発送電力を確定するユーザ装置とを備えることを特徴とするアップリンク電力制御システム。
【発明の詳細な説明】
【技術分野】
【０００１】
本発明は通信技術分野に関し、特にアップリンク電力制御方法、装置及びシステムに関する。
【背景技術】
【０００２】
本出願は、２０1２年０３月２２日に中国特許局に提出し、出願番号が２０１２１００７８３９８．１であり、発明名称が「アップリンク電力制御方法、装置及びシステム」との中国特許出願を基礎とする優先権を主張し、その開示の総てをここに取り込む。
時分割複信（Time Division Duplex，TDD）システムにおいて、アップリンク伝送及びダウンリンク伝送には、同一の周波数領域資及び異なる時領域資源が利用され、即ち、異なるサブフレームにてアップリンクデータと、ダウンリンクデータとを伝送する。通常なTDDシステムには、TD-SCDMA（Time Division-Synchronous Code Division Multiple Access）システムと、TD-LTEシステム（Time Division-Long Term Evolution）とが含まれる。これらの通常なTDDシステムにおいて、アップリンク・サブフレームとダウンリンクサブフレームは、静的または半静的に区分される。一般的に、ネットワーク計画の際に、セル類型と大体のサービス比例に基づいて確定アップリンク/ダウンリンクサブフレーム区分式を定める。当該区分方式は、変更しないようにする。マクロセル用な広いカバレッジ背景の場合、このような方法は、相対的に簡単、且つ効果がある。しかしながら、技術の発展と伴い、ますます多くなってきたマイクロセル、Home Node Bなど低電力基地局は、局部の小カバレッジの提供に用いられるようになった。このようなセルにおけるユーザ装置（User Equipment，UE）の数が少ないし、且つUEからのサービス要求が大きく変わるため、アップリンク・サブフレームとダウンリンクサブフレームの構成は、動的に変更できることが求められている。また、伝統なTDDネットワークにおいて、全範囲で同期できるように設置され、且つ同一なアップリンク/ダウンリンクサブフレーム構成を採用することにより、セル間のアップリンク/ダウンリンクの交差タイムスロット干渉を防ぐことができる。具体的には、あるサブフレームにおいて、隣接セルが当該サブフレームを用いてアップリンク伝送を行なう場合、本セルが当該サブフレームでダウンリンク伝送を行なうことができなくなり、当該サブフレームをアップリンク・サブフレームに設置したり、またはアイドル状態に設置することしかできない。
各セルのサービス状態がそれぞれであるため、上記のような伝統方法により、実際のネットワーク運行が大きく制限されてしまい、各セルは、自身のリアルサービス状態を応じてアップリンク・サブフレームとダウンリンクサブフレーム構成方式を選択ことができず、TDDネットワークのシステム資源利用率が低下されてしまう。
【０００３】
このような問題点を解決するために、より柔軟的なアップリンク/ダウンリンクサブフレーム構成の考案が注目されておる。これらの案には、TDDネットワークにおけるセルは、システム資源の利用率を向上するために、自身の需要に応じて異なるアップリンク/ダウンリンクサブフレーム構成方式を利用し、かつ、サービスの動的な変更によりアップリンク/ダウンリンクサブフレーム構成方式を柔軟に変更する。
【０００４】
従来技術において、TD-LTEシステムのフレーム構造は図1に示すように、1つの無線フレームは、長さが1０msであり、1０個のサブフレームを含み、各サブフレームの長さは1msである。無線フレームのおけるサブフレームは、特殊サブフレームと通常サブフレーム２種類を含む。通常サブフレームは、アップリンク・サブフレームとダウンリンクサブフレームとを含み、アップリンク/ダウンリンク制御シグナリングと、サービスデータなどとを伝送する。特殊サブフレームは、３個のタイムスロットにより構成し、ダウンリンク・パイロット・タイムスロット（Downlink Pilot Time Slot，DwPTS）は、同期信号（Primary Synchronization Signal，PSS）と、物理ダウンリンク制御チャネル（Physical Downlink Control Channel，PDCCH）と、物理ハイブリッド自動再送請求指示チャネル（Physical Hybrid Automatic Repeat Request Indicator Channel，PHICH）と、物理制御フォーマット指示チャネル（Physical Control Format Indicator Channel，PCFICH）と、物理ダウンリンク共有チャネル（Physical Downlink Shared Channel，PDSCH）などを伝送する。がーと間隔（Guard Period，GP）は、ダウンリンクとアップリンク間のがーと間隔であり、アップリンク・パイロット・タイムスロット（Uplink Pilot Time Slot，UpPTS）は、サウンディング参考信号（Sounding Reference Signal，SRS）、物理随机ランダム・アクセス・チャネル（Physical Random Access Channel，PRACH）とを伝送する。ここで、１個の無線フレームにおいて、２つの特殊サブフレーム（サブフレーム#1とサブフレーム#６）が設置されることができるし、１つの特殊サブフレーム（サブフレーム#1）が設置されることもできる。サブフレーム#０と、サブフレーム#５と、特殊サブフレームにおけるDwPTSタイムスロットは、いつもダウンリンク伝送に用いられ、サブフレーム#２及び特殊サブフレームにおけるUpPTSタイムスロットは、いつもアップリンク伝送に用いられる。他のサブフレームは、ニーズに合わせてアップリンク伝送またはダウンリンク伝送に用いられるように設置されることができる。
【０００５】
TD-LTEシステムにおいて、特殊サブフレームにおけるDwPTS、GP、UpPTSとの３つのタイムスロットの長さは、異なる構成に対応できるように区画され、テーブル1に示されるようである。
【０００６】
【表１】
2015518304.tif 000003
【０００７】
テーブル1の時間長単位はTsであり、Ts=1/(15000×2048)Sである。従来のTD-LTEシステムにおいて、アップリンク/ダウンリンクサブフレームは、７つの構成方式をサポートし、具体的な構成のパラメータは、テーブル２に示すように、Dは、ダウンリンク伝送に用いることを示し、Uはアップリンク伝送に用いることを示し、Sは当該サブフレームが特殊サブフレームであることを示す。
【０００８】
【表２】
2015518304.tif 000004
【０００９】
ここで、サブフレームの構成方式は、由ネットワーク側がシステム情報（System Information，SI）によりセル内の全部UEにブロードキャスティングされる。TD-LTE標準によれば、システム情報変更方式によりサブフレーム構成方式を変更することがサポートされるか、このような変更は、ページング及び再度読み取りシステム情報などの過程が必要になる。もしサブフレーム構成方式を頻繁に変更すれば、システム機能は大幅に低下されてしまう。また、TD-LTE標準によりサポートされた最小サブフレーム構成変更周期は６４０msであるため、サービスの動的な変化要求を完全に応じられない。
【００１０】
従って、従来技術では、より動的なアップリンク/ダウンリンクサブフレームの再構成をサポートできる、より柔軟なTDDフレーム構造が提供され、サービスの動的な変化を適応する。具体的には、規定の時間周期において、ダウンリンク伝送に特定するサブフレーム（特定ダウンリンクサブフレームと称する）と、アップリンク伝送に特定されるサブフレーム（固定アップリンク・サブフレームと称する）と、特殊サブフレームと、アップリンクまたはダウンリンク伝送に用いるよう柔軟に設定されるサブフレームとの、４種類のサブフレーム類型が設定されている。ここで、ダウンリンク伝送に用いるよう柔軟に設定されるサブフレームは、可変サブフレームと呼ばれる。もし可変サブフレームがアップリンク伝送に用いれば、当該可変サブフレームは可変アップリンク・サブフレームと呼ばれる。もし可変サブフレームがダウンリンク伝送に用いれば、当該可変サブフレームは、可変ダウンリンク・サブフレームと呼ばれる。図２に示すように、上記時間周期は、１つの無線フレームである。ここで、サブフレーム#０とサブフレーム#５は、特定ダウンリンク・サブフレームであり、サブフレーム#２とサブフレーム#７は固定アップリンク・サブフレームであり、サブフレーム#1とサブフレーム#６は特殊サブフレームであり、他のサブフレーム（サブフレーム#３、サブフレーム#４、サブフレーム#8及びサブフレーム#9）は、可変サブフレームである。基地局は、リアルサービス要求及びチャネル状態に合わせて、可変サブフレームを、サービス要求の動的な変化に適応できるように設定する。
【００１１】
上記のようなアップリンク/ダウンリンク・サブフレームの柔軟な構成案は、サービスの動的な変化に応じてアップリンク/ダウンリンク・サブフレームを柔軟に構成することができるが、ひどいタイムスロット干渉を起こす。図３に示すように、基地局と基地局間の干渉と、UEとUE間の干渉とが含まれる。ここで、M-UEはマクロ  Node B場合のUEであり、L-UEはHome Node B場合のUEである。システムの機能に大きく影響するのは、基地局と基地局間の干渉であり、即ち隣接基地局のダウンリンク発送は本基地局のアップリンク受信に影響をあたえるため、本基地局場合のUEのアップリンク伝送機能がひどく悪化される。
【００１２】
アップリンク伝送機能を向上させるため、アップリンク電力を制御することができる。ここで、電力制御は、無線通信システムにおける１つの基本技術として、無線チャネルの減衰影響を補償することにより、信号を適度の電力で受信端まで到着できるようにする。チャネル状態条件がよい場合、発送端では送信電力を減少することができ、チャネル状態条件が悪い場合、発送端では送信電力を増大することができる。こうすることにより、受信機能が確保でき、受信端の信号対雑音が相対的安定の範囲に維持できる。合理的な電力制御案により、発送端の電力損失を減らす一方、セル内のUE間の干渉も防ぐことができるため、伝送機能及びシステム容量を向上させる以外、セル間の相互干渉も制御できる。基本の電力制御方法は、開ループ電力制御、閉ループ電力制御、内側ループ電力制御及び外側ループ電力制御等に区画される。LTEシステムがアップリンク電力制御を行なう場合、開ループ推測と閉ループ調整を結合する方式を利用する。開ループ部分は、UEがネットワーク側により構成したアップリンク電力制御パラメータ（例えば、受信した電力目標値）に基づいてアップリンク発送電力初期値を確定し、基地局により発送した電力制御指令に従ってアップリンク発送電力を閉ループ調整をリアル的に行なう。
【００１３】
従来のTD-LTEシステムは、ネットワーク全範囲同期化方式、及び同一なアップリンク/ダウンリンク・サブフレーム構成方式を利用するため、交差タイムスロット干渉を起さず、１つのセルのアップリンク伝送は、隣接セルアップリンク伝送からの干渉のみを受ける。そのため、ネットワーク設計で確定したアップリンク電力制御パラメータは、すべてのアップリンク・サブフレームに適用できる。動的なTDDシステムには、特定されたアップリンク・サブフレームと、可変サブフレーム中のアップリンク伝送用に設定したサブフレーム（可変アップリンク・サブフレーム）との２種のアップリンク・サブフレーム類型がある。当該２種のアップリンク・サブフレームにおける干渉状態は異なっている。第１種類のアップリンク・サブフレームにおいては，干渉状態が従来のTD-LTEシステム中の干渉状態と類似し、本セルは隣接セルのアップリンク伝送からの干渉のみを受ける。第２種類のアップリンク・サブフレームにおいては、本セルのアップリンク伝送は、隣接セルのダウンリンク伝送からの持続干渉を受け、且つ、この場合の干渉レーベルは第１種類のサブフレームにおける干渉レーベルより高い。同時に、第２種類のサブフレーム中の各サブフレームにおいて、隣接セルではアップリンクまたはダウンリンク伝送を柔軟に行なうため、各サブフレーム間の干渉状態は明らかに異なっている。
【先行技術文献】
【特許文献】
【００１４】
【特許文献１】中国特許出願公開第１６９７３４１号明細書
【発明の開示】
【発明が解決しようとする課題】
【００１５】
つまり、動的なTDDシステムにおいて、異なる類型のアップリンク・サブフレーム上に必要とするUEの発送電力の差が大きい。動的なTDDシステム中の各類型アップリンク・サブフレームにおけるUEの伝送機能を確保するため、電力制御指令ワードにより異なるアップリンク・サブフレームの発送電力を調整することができるが、電力制御指令ワードの動的な範囲が小さく、通常±２dB以内になるため、システムの要求を満たすことができない。また、各UEために設定した発送電力に対応するアップリンク電力制御パラメータを同一的に構成することもできるが、他のサブフレーム（例えばダウンリンク・サブフレーム）上で余計なUE電力消費及びセル間の干渉を招致してしまう。よって、従来技術は、電力消費及び干渉を避けてアップリンク発送電力を柔軟に制御することができない。
【課題を解決するための手段】
【００１６】
本発明にかかる実施例は、アップリンク・サブフレームのアップリンク発送電力を柔軟に制御できる、アップリンク電力制御方法、システム及びシステムを提供する。
【００１７】
本発明にかかる実施例は、アップリンク電力制御方法と、ネットワーク側装置と、アップリンク電力制御方法と、ユーザ装置と、アップリンク電力制御システムを提供する。
【００１８】
本発明にかかるアップリンク電力制御方法は、ネットワーク側装置が、ユーザ装置のアップリンク信号のために少なくとも２組のアップリンク電力制御パラメータを設定するステップと、設定した各組のアップリンク電力制御パラメータを前記ユーザ装置へ通知して、前記ユーザ装置が前記アップリンク信号の発送電力を確定できるようにするステップとを備える。
【００１９】
本発明にかかるネットワーク側装置は、ユーザ装置のアップリンク信号のために少なくとも２組のアップリンク電力制御パラメータを設定する制御パラメータ組の設定ユニットと、制御パラメータ組の設定ユニットにより設定した各組のアップリンク電力制御パラメータを、前記ユーザ装置へ通知して、前記ユーザ装置が前記アップリンク信号の発送電力を確定できるようにする制御パラメータ組の送信ユニットとを備える。
【００２０】
本発明にかかるアップリンク電力制御方法は、ユーザ装置が、ネットワーク側装置から通知した、アップリンク信号に対応する各組のアップリンク電力制御パラメータを獲得するステップと、前記アップリンク信号の送信が必要となる場合、ユーザ装置が、ネットワーク側装置から通知した各組のアップリンク電力制御パラメータから、１組のアップリンク電力制御パラメータを選択するステップと、選択した当該組のアップリンク電力制御パラメータに基づいて、前記アップリンク信号の発送電力を確定するステップとを備える。
【００２１】
本発明にかかるユーザ装置は、ネットワーク側装置から通知したアップリンク信号に対応する各組のアップリンク電力制御パラメータを獲得する制御パラメータ組獲得ユニットと、前記アップリンク信号の送信が必要となる場合、制御パラメータ組獲得ユニットが獲得した各組のアップリンク電力制御パラメータから１組のアップリンク電力制御パラメータを選択する制御パラメータ組選択ユニットと、制御パラメータ組選択ユニットにより選択した当該組のアップリンク電力制御パラメータに基づいて、前記アップリンク信号の発送電力を確定する発送電力確定ユニットとを備える。
【００２２】
本発明にかかるアップリンク電力制御システムは、ユーザ装置のアップリンク信号のために少なくとも２組のアップリンク電力制御パラメータを設定し、且つ設定した各組のアップリンク電力制御パラメータを前記ユーザ装置へ通知するネットワーク側装置と、前記アップリンク信号の送信が必要となる場合、ネットワーク側装置が通知した各組のアップリンク電力制御パラメータ意あら１組のアップリンク電力制御パラメータを選択し、選択した当該組のアップリンク電力制御パラメータに基づいて、前記アップリンク信号の発送電力を確定するユーザ装置とを備える。
【発明の効果】
【００２３】
本発明にかかる実施例の技術案によれば、ネットワーク側装置がUEのアップリンク信号のために少なくとも２組のアップリンク電力制御パラメータを設定し，設定した各組のアップリンク電力制御パラメータを当該UEへ通知し、前記アップリンク信号の送信が必要となる場合、UEは，ネットワーク側装置が通知した各組のアップリンク電力制御パラメータから1組のアップリンク電力制御パラメータを選択し、選択した当該組のアップリンク電力制御パラメータに基づいて、前記アップリンク信号の発送電力を確定する。動的なTDDシステムにおいて、UEが異なるアップリンク・サブフレーム上でアップリンク信号を送信でき、且つUEが異なるアップリンク電力制御パラメータ組に基づいてアップリンク信号を送信する際の発送電力を確定できるため、異なるアップリンク・サブフレームにそれぞれの発送電力を対応させる目的を達成できる。よって、動的なTDDシステムの各アップリンク・サブフレームにおけるUEの伝送機能を確保できる。また、本発明にかかる実施例技術案によれば、電力制御指令ワードで発送電力を調整することではなく、ネットワーク側により少なくとも２組のアップリンク電力制御パラメータを設定するために、サービスの動的な要求を満たせることができ、また、各UEに統一的なアップリンク電力制御パラメータを設定しないため、UEの電力消費及びセル間の干渉を防ぐことができ、アップリンク発送電力を柔軟に制御できるようになる。
【図面の簡単な説明】
【００２４】
【図１】従来技術における無線フレームの構造を示す図である。
【図２】従来技術における動的なアップリンク/ダウンリンク・サブフレーム構成方式を示す図である。
【図３】従来技術における交差タイムスロット干渉を示す図である。
【図４】本発明にかかる実施例１におけるネットワーク側のアップリンク電力制御方法のフローチャート図である。
【図５】本発明にかかる実施例２におけるネットワーク側装置構造を示す図である。
【図６】本発明にかかる実施例３におけるユーザ側的アップリンク電力制御方法のフローチャート図である。
【図７】本発明にかかる実施例４におけるUE構造を示す図である。
【発明を実施するための形態】
【００２５】
以下、図面を参照しながら本出願にかかる実施例の技術案の主な実現原理、具体的な実施方式及び発明の効果に対して詳細に説明する。
【００２６】
本発明にかかる実施例が提供するアップリンク電力制御方法は、主にネットワーク側のアップリンク電力制御過程及びユーザ側のアップリンク電力制御過程を含む。以下、まず、ネットワーク側のアップリンク電力制御過程を説明する。
【００２７】
＜実施例１＞
図４に示すように、図４は、本発明にかかる実施例１におけるネットワーク側のアップリンク電力制御方法のフローチャートである。ネットワーク側のアップリンク電力制御方法は、ステップ４１と、ステップ４２とを備える。
【００２８】
ステップ４１において、ネットワーク側装置が、UEのアップリンク信号のために少なくとも２組のアップリンク電力制御パラメータを設定する。
【００２９】
本発明にかかる実施例１において、ネットワーク側装置は、基地局であるが、これに限定するものではない。
【００３０】
上記アップリンク信号は、物理アップリンク共有チャネル（Physical Uplink Shared Channel，PUSCH）、物理アップリンク制御チャネル（Physical Uplink Control Channel，PUCCH）またはSRSであることができるが、これに限定するものではない。
【００３１】
アップリンク信号のアップリンク電力制御パラメータは、UEがアップリンク信号の発送電力を確定することにもちいられる。本発明にかかる実施例１において、アップリンク信号のアップリンク電力制御パラメータは、アップリンク信号的受信電力目標値であるが、これに限定するものではない。
【００３２】
もしアップリンク信号がPUCCHであれば、PUCCHのアップリンク電力制御パラメータはPUCCHの受信電力目標値PO_PUCCHであり、その単位はdBmである。PO_PUCCHは、セル専属部分PO_NOMINAL_PUCCHにUE専属部分PO_UE_PUCCHを足して構成され、即ちPO_PUCCH=PO_NOMINAL_PUCCH+PO_UE_PUCCHである。PO_NOMINAL_PUCCHは、システムブロードキャストパラメータ構成から得られ、PO_UE_PUCCHは、UE専属の上位層シグナリング構成から得られる。
【００３３】
もしアップリンク信号がPUSCHであれば、PUSCHのアップリンク電力制御パラメータは、各種類PUSCHの受信電力目標値PO_PUSCH（j）であり、単位がdBmである。Jは、PUSCHの種別識別子であり、０、１または２の値を取る。ここで、j=０は、アップリンク・グラント（UL grant）が無いPUSCHの伝送または再送に対応し、j=１は、UL grantがあるPUSCHの伝送または再送に対応し，j=２は、ランダム・アクセス・メッセージ３のPUSCH伝送に対応する。PO_PUSCH（j）は、8ビット（bit）のセル専属部分PO_NOMINAL_PUSCH（j）に４bitのUE専属部分PO_UE_PUSCH（j）を足して構成され、即ちPO_PUSCH（j）= PO_NOMINAL_PUSCH（j）+PO_UE_PUSCH（j）である。ここで、PO_NOMINAL_PUSCH（j）はシステムブロードキャストパラメータ構成から得られ、PO_UE_PUSCH（j）は、UE専属の上位層シグナリング構成から得られる。マルチキャリアシステムの場合、UEは１つまたは複数のキャリアでPUSCHを発送することができる。この際、PUSCHを発送する各キャリアは、それぞれ１つの受信電力目標値に対応し、もしUEがコンポーネントキャリアcでPUSCHを発送すれば、PUSCHのコンポーネントキャリアc上での受信電力目標値がPO_PUSCH，c（j）である。
【００３４】
SRSの受信電力目標値がPUSCHの受信電力目標値を多重化（Multiplexing）するため、もしアップリンク信号がSRSであれば、SRSのアップリンク電力制御パラメータもPO_PUSCH（j）となる。
【００３５】
よって、アップリンク信号がPUCCHであれば、各組のアップリンク電力制御パラメータにはPO_PUCCHのみが含まれ、アップリンク信号がPUSCHまたはSRSであれば、各組のアップリンク電力制御パラメータには、それぞれPO_PUSCH（０）、PO_PUSCH（１）及びPO_PUSCH（２）が含まれる。
【００３６】
アップリンク電力制御に対し、各チャネルの受信電力目標値は、基地局より設定され、当該パラメータ値の確定は、通常セル平均スループット、セル端部スループットなど要因を合わせて考える素。もし受信電力目標値を高く設定すれば、本セルUEのアップリンク信号が基地局受信機までに到着する際に高い電力を有することを意味し、これは本セルUE（特にセル端のUE）のアップリンク伝送機能の向上に有利であるが、過大な受信電力目標値は、セル間の干渉増大、UE電力損失などの悪影響を及ぼす。よって受信電力目標値は、UEの発送電力確定に対して非常に重要である。
【００３７】
ステップ４２において、ネットワーク側装置は、設定した各組のアップリンク電力制御パラメータを前記UEに通知して、前記UEが前記アップリンク信号の発送電力を確定できるようにする。
【００３８】
本発明にかかる実施例１において、ネットワーク側装置は、上位層シグナリングにより、設定した各組のアップリンク電力制御パラメータを前記UEへ通知して、UEが受信した各組のアップリンク電力制御パラメータから１組のアップリンク電力制御パラメータをしてアップリンク信号の発送電力を確定できるようにする。もちろん、上位層シグナリングに限定するわけではない。
【００３９】
以下、ネットワーク側装置がどのようにUEのアップリンク信号のために少なくとも２組のアップリンク電力制御パラメータを設定するのかについて、詳細に説明する。
【００４０】
本発明にかかる実施例１において、ネットワーク側装置は、アップリンク・サブフレームの干渉状態に基づいて、UEのアップリンク信号のために少なくとも２組のアップリンク電力制御パラメータを設定する。
【００４１】
ここで、動的なTDDシステム中には、２種類のアップリンク・サブフレームがある。1つは、固定アップリンク・サブフレームであり、もう1つは可変サブフレームにおけるアップリンク伝送に設定されたサブフレーム（可変アップリンク・サブフレーム）である。当該２種類のアップリンク・サブフレームの干渉状態は異なっている。第１種のアップリンク・サブフレームにおいて、干渉状態は、伝統なTD-LTEシステムにおける干渉状態と類似し、本セルは、隣接セルアップリンク伝送の干渉のみを受ける。第２種のアップリンク・サブフレームにおいて、本セルのアップリンク伝送は、隣接セルダウンリンク伝送の持続干渉を受ける可能性があり、且つこの際の干渉レーベルは、第１種のサブフレーム中の干渉レーベルより、著しく高い。また、第２種のサブフレームにおける各サブフレームにおいて、隣接セルがアップリンク又はダウンリンク伝送を柔軟に行うため、各サブフレーム間の干渉状態も明らかに差がある。
【００４２】
よって、固定アップリンク・サブフレームと可変アップリンク・サブフレームと干渉状態が異なり、且つ各可変アップリンク・サブフレームの干渉状態も異なる可能性がある。これに対し、本発明にかかる実施例１は、アップリンク電力制御パラメータ組を設定する２つの方式を提供する。
【００４３】
＜方式１＞
ネットワーク側装置は、アップリンク・サブフレームの各種のサブフレームにたいして、UEのアップリンク信号のために、少なくとも１組のアップリンク電力制御パラメータを設定する。ここで、アップリンク・サブフレームのサブフレーム類型は、可変アップリンク・サブフレームと固定アップリンク・サブフレームとを備え、即ちネットワーク側装置は、固定アップリンク・サブフレームに対して、UEのために、アップリンク信号の少なくとも１組のアップリンク電力制御パラメータを設定する。また、可変アップリンク・サブフレームに対して、UEためにも、アップリンク信号の少なくとも１組のアップリンク電力制御パラメータを設定する。固定アップリンク・サブフレームと可変アップリンク・サブフレームは、それぞれ少なくとも１組のアップリンク電力制御パラメータに対応する。UEが当該アップリンク信号を送信する際に、もしアップリンク信号を発送するアップリンク・サブフレームが固定アップリンク・サブフレームであれば、UEは、固定アップリンク・サブフレームに対応する少なくとも１組のアップリンク電力制御パラメータから１組のアップリンク電力制御パラメータを選択して、アップリンク信号の発送電力を確定することができる。もし、アップリンク信号を発送するアップリンク・サブフレームが可変アップリンク・サブフレームであれば、UEは、可変アップリンク・サブフレームに対応する少なくとも１組のアップリンク電力制御パラメータ中から１組のアップリンク電力制御パラメータを選択して、アップリンク信号の発送電力を確定する。
【００４４】
方式１において、ネットワーク側装置は、固定アップリンク・サブフレームに対して、UEのためにアップリンク信号の１組のアップリンク電力制御パラメータを設定し、且つ可変アップリンク・サブフレームに対して、UEためにも、アップリンク信号の１組のアップリンク電力制御パラメータを設定する。もし上記アップリンク信号がPUCCHであれば、ネットワーク側装置は、UEのためにPUCCHに対応するPO_PUCCH_s１とPO_PUCCH_s２との２組のPO_PUCCHを設定する。PO_PUCCH_s１は、固定アップリンク・サブフレームに対応し、PO_PUCCH_s２は可変アップリンク・サブフレームに対応する。UEがPUCCHを発送する場合、固定アップリンク・サブフレームにおいて、PO_PUCCH_s１を利用して発送電力を確定し、可変アップリンク・サブフレームにおいて、PO_PUCCH_s２を利用して発送電力を確定する。もし上記アップリンク信号がPUSCHであれば、ネットワーク側装置は、UEのためにPO_PUSCH_s１（j）とPO_PUSCH_s２（j）との２組のPO_PUSCH（j）を設定する。PO_PUSCH_s１（j）は、固定アップリンク・サブフレームに対応し、PO_PUSCH_s２（j）は可変アップリンク・サブフレームに対応する。UEがPUSCHを発送する場合、固定アップリンク・サブフレームにおいてPO_PUSCH_s１（j）を利用して発送電力を確定し、可変アップリンク・サブフレームにおいてPO_PUSCH_s２（j）を利用して発送電力を確定する。
【００４５】
また、方式１において、UEがアップリンク信号を送信するサブフレームのサブフレーム類型に基づいてアップリンク電力制御パラメータ組を選択して、発送電力を確定できるようにするために、本発明にかかる実施例１によれば、ネットワーク側装置が除了将設定した各組のアップリンク電力制御パラメータをUEに送信する以外、サブフレーム類型とアップリンク電力制御パラメータ組間の対応関係をさらに当該UEに送信することができる。
【００４６】
＜方式２＞
ネットワーク側装置は、各アップリンク・サブフレームを各サブフレーム組に区画する。具体的には、固定アップリンク・サブフレームを１つのサブフレーム組に区画し、可変サブフレームを少なくとも１つのサブフレーム組に区画した各サブフレーム組に対し、UEのアップリンク信号のために、それぞれ少なくとも１組のアップリンク電力制御パラメータを設定する。即ち、各サブフレーム組は、少なくとも１組のアップリンク電力制御パラメータに対応する。UEが当該アップリンク信号を送信する場合、アップリンク信号を発送するアップリンク・サブフレームが所属するサブフレーム組に対応する少なくとも１組のアップリンク電力制御パラメータから、１組のアップリンク電力制御パラメータを選択して、アップリンク信号の発送電力を確定する。
【００４７】
方式２において、ネットワーク側装置が、区画した各サブフレーム組に対し、UEのために、それぞれアップリンク信号の１組のアップリンク電力制御パラメータを設定できる。可変サブフレームに対して、組み分けする際に、ネットワーク側は、可変サブフレームの数によって区画することができるし、可変サブフレーム内の干渉状態によって区画することもできる。図２に示す動的なアップリンク/ダウンリンク・サブフレーム構成方式の例を挙げれば、可変サブフレームが４つのサブフレーム（サブフレーム#３、サブフレーム#４、サブフレーム#8及びサブフレーム#9）を含み、ネットワーク側装置が可変サブフレームを４つのサブフレーム組に区画し、各サブフレーム組に１つのサブフレームがふくまれ、ネットワーク側装置は、全部５つのサブフレーム組を得られる。よって、ネットワーク側装置は、UEのために、全部５組の独立アップリンク電力制御パラメータを設定し、各組のアップリンク電力制御パラメータは、異なるサブフレーム組に対応する。
【００４８】
もし上記アップリンク信号がPUCCHであれば、ネットワーク側装置は、UEのために、PUCCHに対応するN組のPO_PUCCHを設定し、即ちPO_PUCCH_s１、…、PO_PUCCH_sNである。Nはアップリンク電力制御パラメータ組の数であり、もし各サブフレーム組が１組のアップリンク電力制御パラメータに対応すれば、Nはサブフレーム組の数でもある。UEがPUCCHを発送する場合、PUCCHを発送するアップリンク・サブフレームの所属サブフレーム組に対応するアップリンク電力制御パラメータ組を利用して、発送電力を確定することができる。もし上記アップリンク信号がPUSCHであれば、ネットワーク側装置がUEのためにN組のPO_PUSCH（j）を設定し、即ちPO_PUSCH_s１（j）、……、PO_PUSCH_sN（j）である。UEは、PUCCHを発送する場合，PUSCHを発送するアップリンク・サブフレームの所属サブフレーム組に対応するアップリンク電力制御パラメータ組を利用して、発送電力を確定することができる。
【００４９】
また、方式２において、UEがアップリンク信号を送信するサブフレームの所属サブフレーム組に基づいてアップリンク電力制御パラメータ組を選択して、発送電力を確定できるようにするために、本発明にかかる実施例１には、ネットワーク側装置は、設定した各組のアップリンク電力制御パラメータをUEへ通知する以外、サブフレーム組とアップリンク電力制御パラメータ組間の対応関係を当該UEへ送信する。
【００５０】
もし上記アップリンク信号がPUSCHであれば、ネットワーク側装置がアップリンク電力制御パラメータ組を設定する場合、PUSCHの少なくとも１つのアップリンク電力制御パラメータに対し、それぞれN個のパラメータ値を設定することができ、Nは設定する必要があるアップリンク電力制御パラメータ組であり、PUSCHの他のアップリンク電力制御パラメータに対し、１つのパラメータ値のみを設定することができる。
【００５１】
具体的には、ネットワーク側装置は、各種別PUSCHの受信電力目標値からPO_PUSCH（k）を選択し、kは０、１、２のうちの少なくとも１つの値である。選択したPO_PUSCH（k）について、UEのためにパラメータ値PO_PUSCH_s１（k）、…、PO_PUSCH_sN（k）を設定し、Nは設定する必要があるアップリンク電力制御パラメータ組数である。
【００５２】
ここで、ネットワーク側装置のPO_PUSCH（k）選択方式は、全部７つである。
{ PO_PUSCH（０）}；{ PO_PUSCH（１）}；{ PO_PUSCH（２）}；{ PO_PUSCH（０）とPO_PUSCH（１）}；{ PO_PUSCH（０）とPO_PUSCH（２）}；{ PO_PUSCH（１）とPO_PUSCH（２）}；{ PO_PUSCH（０）、PO_PUSCH（１）とPO_PUSCH（２）}。
【００５３】
選択されていない他のPO_PUSCHについて、ネットワーク側装置は、N個のパラメータ値を設定することではなく、１つのパラメータ値を設定する。各組のアップリンク電力制御パラメータにおいて、選択されていないPO_PUSCHのパラメータ値は同一である。例えば、ネットワーク側装置により選択されていないPO_PUSCH（１）の場合、N組のアップリンク電力制御パラメータにおいて、PO_PUSCH（１）の値は全部同一である。
【００５４】
アップリンク信号の受信電力目標値は、セル専属部分とUE専属部分に分けられる。例えば、PUCCHの受信電力目標値PO_PUCCHは、セル専属部分PO_NOMINAL_PUCCHにUE専属部分PO_UE_PUCCHを足して構成される。PUSCHの受信電力目標値PO_PUSCH（j）は、セル専属部分PO_NOMINAL_PUSCH（j）にUE専属部分PO_UE_PUSCH（j）を足して構成される。本発明にかかる実施例１において、各アップリンク電力制御パラメータについて、ネットワーク側装置はセル専属部分にそれぞれN個のパラメータ値を競ってし、Nは設定する必要があるアップリンク電力制御パラメータ組の数であり、一方、UE専属部分に、単に１つのパラメータ値を設定することができる。例えば、Nが２である場合、PO_NOMINAL_PUSCH（j）を、パラメータ値PO_NOMINAL_PUSCH_S１（j）とPO_NOMINAL_PUSCH_S２（j）との２個のパラメータ値に設定することができる。
この際、数式１及び数式２がある。
【００５５】
＜数式１＞
PO_PUSCH_S１（j）=PO_NOMINAL_PUSCH_S１（j）+PO_UE_PUSCH（j）      …（１）
【００５６】
＜数式２＞
PO_PUSCH_S２（j）=PO_NOMINAL_PUSCH_S２（j）+PO_UE_PUSCH（j）      …（２）
【００５７】
ネットワーク側装置は、UE専属部分にそれぞれN個のパラメータ値を設定し、セル専属部分に単に１個のパラメータ値を設定することもできる。例えば、Nが２である場合、PO_UE_PUSCH（j）をPO_UE_PUSCH_S１（j）とPO_UE_PUSCH_S２（j）との２個のパラメータ値に設定することができる。
この際、数式３及び数式４がある。
【００５８】
＜数式３＞
PO_PUSCH_S１（j）=PO_NOMINAL_PUSCH（j）+PO_UE_PUSCH_S１（j）      …（３）
【００５９】
＜数式４＞
PO_PUSCH_S２（j）=PO_NOMINAL_PUSCH（j）+PO_UE_PUSCH_S２（j）      …（４）
【００６０】
ネットワーク側装置は、セル専属部分とUE専属部分それぞれにN個のパラメータ値を設定することができる。例えば、Nが２である場合、PO_NOMINAL_PUSCH（j）をPO_NOMINAL_PUSCH_S１（j）とPO_NOMINAL_PUSCH_S２（j）との２つのパラメータ値に設定し、PO_UE_PUSCH（j）をPO_UE_PUSCH_S１（j）とPO_UE_PUSCH_S２（j）との２つのパラメータ値に設定する。
この際、数式５及び数式６がある。
【００６１】
＜数式５＞
PO_PUSCH_S１（j）=PO_NOMINAL_PUSCH_S１（j）+PO_UE_PUSCH_S１（j）      …（５）
【００６２】
＜数式６＞
PO_PUSCH_S２（j）=PO_NOMINAL_PUSCH_S２（j）+PO_UE_PUSCH_S２（j）      …（６）
【００６３】
本発明にかかる実施例１によれば、ネットワーク側装置が設定した各組のアップリンク電力制御パラメータのうち、アップリンク電力制御パラメータのパラメータ値が実のパラメータ値としてもよいし、相対のパラメータ値としてもよい。ここで、各組のアップリンク電力制御パラメータ中のパラメータ値は、全部実のパラメータ値にしてもよい。また、ネットワーク側装置は、１つの基準アップリンク電力制御パラメータ組を予めに選択することもできる。当該基準アップリンク電力制御パラメータ組中のパラメータ値のみは実のパラメータ値であり、他のアップリンク電力制御パラメータ組中のパラメータ値は、実のパラメータ値と基準アップリンク電力制御パラメータ組中的実のパラメータ値の差であり、即ち相対のパラメータ値と称する。
【００６４】
また、本発明にかかる実施例１によれば、ネットワーク側装置がUEのためにアップリンク電力制御パラメータ組を選択してUEへ通知するため、UEが選択せず、直接にネットワーク側装置により選択したアップリンク電力制御パラメータ組に基づいて発送電力を確定すればよい。具体的には、当該UEが前記アップリンク信号を送信する場合、ネットワーク側装置は、設定した各組のアップリンク電力制御パラメータ農地から、当該UEのために１組のアップリンク電力制御パラメータを選択して、選択したアップリンク電力制御パラメータ組の組識別子を当該UEへ送信する。
【００６５】
ここで、ネットワーク側装置はPDCCH（これに限定するわけではない）により，選択したアップリンク電力制御パラメータ組の組識別子を当該UEへ送信する。
【００６６】
上記方式１に対応して、ネットワーク側装置は、アップリンク電力制御パラメータ組を選択する場合、まずUEアップリンク信号を発送するアップリンク・サブフレームのサブフレーム類型を確定し、そして設定した各組のアップリンク電力制御パラメータから１組の、確定したサブフレーム類型に対応するアップリンク電力制御パラメータを選択する。もし確定したサブフレーム類型が固定アップリンク・サブフレームであれば、ネットワークシステムは、UEのために、固定アップリンク・サブフレームに対して設定した１組のアップリンク電力制御パラメータを選択する。確定したサブフレーム類型が可変アップリンク・サブフレームであれば、ネットワークシステムは、UEのために、可変アップリンク・サブフレームに対して設定した１組のアップリンク電力制御パラメータを選択する。
【００６７】
上記方式２に対応して、ネットワーク側装置は、アップリンク電力制御パラメータ組を選択する場合、まずUEが前記アップリンク信号を送信するアップリンク・サブフレームの所属サブフレーム組を確定して、設定した各組のアップリンク電力制御パラメータから、確定したサブフレーム組に対応するアップリンク電力制御パラメータを１組選択する。
【００６８】
例えば、上記アップリンク信号がPUSCHであり、ネットワーク側装置は、物理層シグナリングPDCCHにアップリンク電力制御パラメータ組の組識別子を搬送させることにより、どちら組のアップリンク電力制御パラメータで、PDCCHによりグラント（grant）するPUSCHの発送電力を確定するのを、UEに指示できる。上記組識別子はPDCCHの１bitを占めることができるが、これに限られない。
【００６９】
本発明にかかる実施例１において、ネットワーク側装置は、各UEのために、それぞれ分少なくとも２組のアップリンク電力制御パラメータを設定し、設定した当該組のアップリンク電力制御パラメータを対応するUEへ通知する。また、ネットワーク側装置は、全てのUEのために、少なくとも２組のアップリンク電力制御パラメータを設定し、設定した各組のアップリンク電力制御パラメータを全てのUEへ通知する。
【００７０】
＜実施例２＞
本発明にかかる実施例１によるアップリンク電力制御方法に基づいて、本発明にかかる実施例２はネットワーク側装置を提供した。
【００７１】
その構造は図５に示すように、UEのアップリンク信号のために、少なくとも２組のアップリンク電力制御パラメータを設定する制御パラメータ組の設定ユニット５１と、制御パラメータ組の設定ユニット５１設定した各組のアップリンク電力制御パラメータを前記UEへ通知して、前記UEが前記アップリンク信号の発送電力を確定できるようにする制御パラメータ組の送信ユニット５２とを備える。
【００７２】
本発明にかかる実施例２の好ましい実施方式において、前記制御パラメータ組の送信ユニット５２は、上位層シグナリングを介して、制御パラメータ組の設定ユニット５１により設定した各組のアップリンク電力制御パラメータを前記UEへ通知する。
【００７３】
本発明にかかる実施例２の好ましい実施方式において、前記制御パラメータ組の設定ユニット５１は、アップリンク・サブフレームの干渉状態に基づいて、UEのアップリンク信号のために、少なくとも２組のアップリンク電力制御パラメータを設定する。
【００７４】
本発明にかかる実施例２のより好ましい実施方式において、前記制御パラメータ組の設定ユニット５１は、アップリンク・サブフレームの各種のサブフレーム類型それぞれに対し、UEのアップリンク信号のために、少なくとも１組のアップリンク電力制御パラメータを設定する。ここで、アップリンク・サブフレームのサブフレーム類型は、可変アップリンク・サブフレームと、固定アップリンク・サブフレームとを含む。
【００７５】
本発明にかかる実施例２のより好ましい実施方式において、前記ネットワーク側装置は、サブフレーム類型とアップリンク電力制御パラメータ組間の対応関係を前記UEへ送信する第１対応関係送信ユニットをさらに備える。
【００７６】
本発明にかかる実施例２のより好ましい実施方式において、前記制御パラメータ組の設定ユニット５１は、固定アップリンク・サブフレームを１つのサブフレーム組に区画し、可変サブフレームを少なくとも１つのサブフレーム組に区画するサブフレーム組区画サブユニットと、サブフレーム組区画サブユニットにより区画した各サブフレーム組それぞれに対し、UEのアップリンク信号のために少なくとも１組のアップリンク電力制御パラメータを設定する第１制御パラメータ組設定サブユニットとを備える。
【００７７】
本発明にかかる実施例２のより好ましい実施方式において、前記ネットワーク側装置は、サブフレーム組とアップリンク電力制御パラメータ組間の対応関係を前記UEへ送信する第二対応関係送信ユニットをさらに備える。
【００７８】
本発明にかかる実施例２の好ましい実施方式において、前記ネットワーク側装置は、前記UEが前記アップリンク信号を送信する場合、制御パラメータ組の設定ユニット５１により設定した各組のアップリンク電力制御パラメータから、前記UEのために１組のアップリンク電力制御パラメータを選択する制御パラメータ組選択ユニットと、制御パラメータ組選択ユニットにより選択したアップリンク電力制御パラメータ組の組識別子を前記UEへ送信する制御パラメータ組の送信ユニットとを備える。
【００７９】
本発明にかかる実施例２のより好ましい実施方式において、アップリンク・サブフレームの各種のサブフレーム類型は、少なくとも１組のアップリンク電力制御パラメータに対応する。ここで、アップリンク・サブフレームのサブフレーム類型は、可変アップリンク・サブフレームと、固定アップリンク・サブフレームとを含む。
【００８０】
前記制御パラメータ組選択ユニットは、UEが送信する前記アップリンク信号のアップリンク・サブフレームのサブフレーム類型を確定するサブフレーム類型確定サブユニットと、制御パラメータ組の設定ユニット５１により設定した各組のアップリンク電力制御パラメータから、サブフレーム類型確定サブユニットにより確定したサブフレーム類型に対応するアップリンク電力制御パラメータを１組選択する第１制御パラメータ組選択サブユニットとを備える。
【００８１】
本発明にかかる実施例２のより好ましい実施方式において、アップリンク・サブフレームの各サブフレーム組は、それぞれ少なくとも１組のアップリンク電力制御パラメータに対応する。固定アップリンク・サブフレームは、１つのサブフレーム組に対応し、可変アップリンク・サブフレームは、少なくとも１つのサブフレーム組に対応する。
【００８２】
前記制御パラメータ組選択ユニットは、UEが送信する前記アップリンク信号のアップリンク・サブフレームの所属サブフレーム組を確定するサブフレーム組確定サブユニットと、制御パラメータ組の設定ユニット５１により設定した各組のアップリンク電力制御パラメータから、１組のサブフレーム組確定サブユニットにより確定したサブフレーム組に対応するアップリンク電力制御パラメータを選択する第２制御パラメータ組選択サブユニットとを備える。
【００８３】
本発明にかかる実施例２のより好ましい実施方式において、前記制御パラメータ組の送信ユニットは、PDCCHを介して、制御パラメータ組選択ユニットにより選択したアップリンク電力制御パラメータ組の組識別子を前記UEへ送信する。
【００８４】
本発明にかかる実施例２の好ましい実施方式において、前記アップリンク信号のアップリンク電力制御パラメータは、前記アップリンク信号の受信電力目標値である。
【００８５】
本発明にかかる実施例２の好ましい実施方式において、前記アップリンク信号は、PUSCH、PUCCHまたはSRSである。
【００８６】
本発明にかかる実施例２のより好ましい実施方式において、前記アップリンク信号はPUSCHであり、前記アップリンク信号のアップリンク電力制御パラメータは各種別のPUSCHの受信電力目標値PO_PUSCH（j）であり、jはPUSCH的種別識別子であり、０、１または２の値にする。
【００８７】
前記制御パラメータ組の設定ユニット５１は、各種別PUSCHの受信電力目標値から、PO_PUSCH（k）を選択し、kが０、１、２中の少なくとも１つの値である目標値選択サブユニットと、目標値選択サブユニットにより選択したPO_PUSCH（k）に対し、UEのためにパラメータ値PO_PUSCH_s１（k）、…、PO_PUSCH_sN（k）を設定し、Nが設定する必要があるアップリンク電力制御パラメータ組の数である第２制御パラメータ組設定サブユニットとを備える。
【００８８】
以下、ユーザ側のアップリンク電力制御過程を説明する。
【００８９】
＜実施例３＞
図６に示すように、本発明にかかる実施例３におけるユーザ側のアップリンク電力制御方法フローチャートは、ステップ６１と、ステップ６２と、ステップ６３とにより構成される。
【００９０】
ステップ６１において、UEは、ネットワーク側装置から通知したアップリンク信号に対応する各組のアップリンク電力制御パラメータを獲得する。
【００９１】
ここで、UEは、上位層シグナリング（これに限られない）を介して、ネットワーク側装置から通知したアップリンク信号に対応する各組のアップリンク電力制御パラメータを獲得する。
【００９２】
ネットワーク側装置がアップリンク電力制御パラメータ組を設定・送信する過程は、ここで、その以上説明しない。
【００９３】
ステップ６２において、前記アップリンク信号の送信が必要となる場合、UEが、ネットワーク側装置から通知した各組のアップリンク電力制御パラメータから１組のアップリンク電力制御パラメータを選択する。
【００９４】
UEがアップリンク電力制御パラメータを選択する方式は、下記で３つの方式を説明したが、これに限られない。
【００９５】
＜方式１＞
UEは、ネットワーク側装置が送信したサブフレーム類型とアップリンク電力制御パラメータ組間の対応関係係を受信して、前記アップリンク信号を送信するアップリンク・サブフレーム的サブフレーム類型を確定する。サブフレーム類型は、可変アップリンク・サブフレームと固定アップリンク・サブフレームとを含む。そして、受信したサブフレーム類型とアップリンク電力制御パラメータ組間の対応関係係に基づいて、ネットワーク側装置から通信された各組のアップリンク電力制御パラメータから、確定したサブフレーム類型に対応するアップリンク電力制御パラメータを１組選択する。
【００９６】
もし、UEが送信する前記アップリンク信号のアップリンク・サブフレームが、固定アップリンク・サブフレームであれば、UEは、受信したサブフレーム類型とアップリンク電力制御パラメータ組間の対応関係係に基づいて、固定アップリンク・サブフレームに対応する各アップリンク電力制御パラメータ組を獲得することができ、UEは固定アップリンク・サブフレームに対応する各アップリンク電力制御パラメータ組から１つのアップリンク電力制御パラメータ組を選択する。もしUEが送信する前記アップリンク信号のアップリンク・サブフレームが可変アップリンク・サブフレームであれば、UEは、受信したサブフレーム類型とアップリンク電力制御パラメータ組間の対応関係係に基づいて、可変アップリンク・サブフレームに対応する各アップリンク電力制御パラメータ組を獲得することができ、UEは、可変アップリンク・サブフレームに対応する各アップリンク電力制御パラメータ組から１つのアップリンク電力制御パラメータ組を選択する。
【００９７】
＜方式２＞
UEは、ネットワーク側装置から送信したサブフレーム組とアップリンク電力制御パラメータ組間の対応関係係を受信し、前記アップリンク信号を送信するアップリンク・サブフレームの所属サブフレーム組を確定する。ここで、固定アップリンク・サブフレームは、１つのサブフレーム組に対応し、可変アップリンク・サブフレームは、少なくとも１つのサブフレーム組に対応する。そして、UEは、受信したサブフレーム組とアップリンク電力制御パラメータ組間の対応関係係に基づいて、ネットワーク側装置が通知した各組のアップリンク電力制御パラメータから、確定したサブフレーム組に対応するアップリンク電力制御パラメータを１組選択する。
【００９８】
UEは、前記アップリンク信号を送信するアップリンク・サブフレームの所属サブフレーム組を確定した後、サブフレーム組とアップリンク電力制御パラメータ組間の対応関係係に基づいて、確定したサブフレーム組に対応するアップリンク電力制御パラメータ組を獲得することができる。UEは、確定したサブフレーム組に対応するアップリンク電力制御パラメータ組から、１つのアップリンク電力制御パラメータ組を選択する。
【００９９】
＜方式３＞
UEは、ネットワーク側装置が送信したアップリンク電力制御パラメータ組の組識別子を受信した後、受信した組識別子に基づいて、直接にネットワーク側装置から通知した各組のアップリンク電力制御パラメータから、対応するアップリンク電力制御パラメータ組を選択する。
【０１００】
ここで、UEは、PDCCH（これに限られない）を介して、ネットワーク側装置が送信したアップリンク電力制御パラメータ組の組識別子を受信する。
【０１０１】
ステップ６３において、UEは、選択した当該組のアップリンク電力制御パラメータに基づいて、前記アップリンク信号の発送電力を確定する。
【０１０２】
以下、PUCCH、PUSCH、SRSの発送電力の確定方法を説明する。
【０１０３】
１、PUCCHの発送電力確定方法
LTEシステムにおいて、PUCCHの発送電力は、UEにより計算して確定する。具体的には、基地局のパラメータ設定及びPUCCHチャネルフォーマットなどに基づいて確定する。以下で、詳細に説明する。
【０１０４】
アップリンク・サブフレームiにおいて、UEがPUCCHチャネルを発送するのに用いる発送電力PPUCCHは、数式７に基づいて計算される。
【０１０５】
【数１】
2015518304.tif 000005
【０１０６】
【数２】
2015518304.tif 000006
【０１０７】
２、PUSCHの発送電力確定方法
LTEシステムにおいて、PUSCHの発送電力はUEにより計算して確定する。具体的には、基地局のパラメータ構成とPUSCHのグラント状態などにより確定する。
具体的には、アップリンク・サブフレームiにおいて、UEが１つのコンポーネントキャリアcにおいてPUSCHチャネルを発送するのに用いる発送電力PPUSCH,c(i)は、数式８により計算される。
【０１０８】
【数３】
2015518304.tif 000007
【０１０９】
【数４】
2015518304.tif 000008
【０１１０】
３、SRSの発送電力確定方法
PUSCHと類似し、LTEシステムにおいて、SRSの発送電力はUEにより計算して確定し、具体的には、基地局のパラメータ構成及びSRSのグラント状態などに基づいて確定する。
具体的には、アップリンク・サブフレームiにおいて、UEは１つのコンポーネントキャリアcにおいてSRSチャネルを発送するのに利用する発送電力PSRS,c(i)は数式９により計算する。
【０１１１】
【数５】
2015518304.tif 000009
【０１１２】
ここで、
PSRS_OFFSET,c(m)はSRS発送電力調整量の値であり、
MSRS,cはSRSの伝送帯域幅であり、
他のパラメータはPUSCH発送電力を確定する際に利用するパラメータを多重化する。
【０１１３】
このような処理過程によれば、本発明にかかる実施例技術案には、ネットワーク側装置がUEのアップリンク信号のために少なくとも２組のアップリンク電力制御パラメータを設定し、設定した各組のアップリンク電力制御パラメータを当該UEへ通知する。UEは、前記アップリンク信号の送信が必要となる場合、ネットワーク側装置が通知した各組のアップリンク電力制御パラメータから１組のアップリンク電力制御パラメータを選択し、選択した当該組のアップリンク電力制御パラメータに基づいて、前記アップリンク信号の発送電力を確定する。動的なTDDシステムにおいて、UEが異なるアップリンク・サブフレームにおいてアップリンク信号を送信することができ、且つUEが異なるアップリンク電力制御パラメータ組に基づいてアップリンク信号を送信する際の発送電力を確定することができるため、異なるアップリンク・サブフレームに異なる発送電力が対応させる目的を実現でき、動的なTDDシステムの各アップリンク・サブフレームにおけるUEの伝送機能を確保できる。また、本発明にかかる実施例技術案は電力制御指令ワードにより発送電力を調整せず、ネットワーク側により少なくとも２組のアップリンク電力制御パラメータを設定するため、サービスの動的な要求を満足できる。また、各UEのために統一なアップリンク電力制御パラメータを設定しないため、UE電力損失及びセル間の干渉を防ぐことができ、アップリンク発送電力を柔軟に制御することができる。
【０１１４】
＜実施例４＞
本発明にかかる実施例３により提供するアップリンク電力制御方法に基づいて、本発明にかかる実施例４により提供するユーザ装置の構造は、図７に示すように、ネットワーク側装置から通知したアップリンク信号に対応する各組のアップリンク電力制御パラメータを獲得する制御パラメータ組獲得ユニット７１と、前記アップリンク信号の送信が必要となる場合、制御パラメータ組獲得ユニット７１が獲得した各組のアップリンク電力制御パラメータから１組のアップリンク電力制御パラメータを選択する制御パラメータ組選択ユニット７２と、制御パラメータ組選択ユニット７２が選択した当該組アップリンク電力制御パラメータに基づいて前記アップリンク信号の発送電力を確定する発送電力確定ユニット７３とを備える。
【０１１５】
本発明にかかる実施例４の好ましい実施方式において、前記制御パラメータ組獲得ユニット７１は、上位層シグナリングを介して、ネットワーク側装置から通知したアップリンク信号に対応する各組のアップリンク電力制御パラメータを獲得する。
【０１１６】
本発明にかかる実施例４の好ましい実施方式において、前記制御パラメータ組選択ユニット７２は、ネットワーク側装置が送信したサブフレーム類型とアップリンク電力制御パラメータ組間の対応関係係を受信する第１対応関係受信サブユニットと、前記アップリンク信号を送信するアップリンク・サブフレームのサブフレーム類型を確定し、サブフレーム類型が可変アップリンク・サブフレームと固定アップリンク・サブフレームとを含むサブフレーム類型確定サブユニットと、第１対応関係受信サブユニットが受信したサブフレーム類型とアップリンク電力制御パラメータ組間の対応関係係に基づいて、制御パラメータ組獲得ユニット７１が獲得した各組のアップリンク電力制御パラメータから、サブフレーム類型確定サブユニットが確定したサブフレーム類型に対応するアップリンク電力制御パラメータを１組選択する第１制御パラメータ組選択サブユニットとを備える。
【０１１７】
本発明にかかる実施例４の好ましい実施方式において、前記制御パラメータ組選択ユニット７２は、ネットワーク側装置が送信したサブフレーム組とアップリンク電力制御パラメータ組間の対応関係係を受信する第２対応関係受信サブユニットと、前記アップリンク信号を送信するアップリンク・サブフレームの所属サブフレーム組を確定し、ここで、固定アップリンク・サブフレームが１つのサブフレーム組に対応し、可変アップリンク・サブフレームが少なくとも１つのサブフレーム組に対応するサブフレーム組確定サブユニットと、第２対応関係受信サブユニット受信したサブフレーム組とアップリンク電力制御パラメータ組間の対応関係係に基づいて、制御パラメータ組獲得ユニット７１が獲得した各組のアップリンク電力制御パラメータから、サブフレーム組確定サブユニットが確定したサブフレーム組に対応するアップリンク電力制御パラメータを選択する第２制御パラメータ組選択サブユニットとを備える。
【０１１８】
本発明にかかる実施例４の好ましい実施方式において、前記制御パラメータ組選択ユニット７２は、ネットワーク側装置が送信したアップリンク電力制御パラメータ組の組識別子組識別子を受信する受信サブユニットと、組識別子受信サブユニットが受信した組識別子に基づいて、制御パラメータ組獲得ユニット７１が獲得した各組のアップリンク電力制御パラメータから、対応するアップリンク電力制御パラメータ組を選択する第３制御パラメータ組選択サブユニットとを備える。
【０１１９】
本発明にかかる実施例４のより好ましい実施方式において、前記組識別子受信サブユニットは、PDCCHを介して、ネットワーク側装置が送信したアップリンク電力制御パラメータ組の組識別子を受信する。
【０１２０】
本発明にかかる実施例４の好ましい実施方式において、前記アップリンク信号のアップリンク電力制御パラメータは、前記アップリンク信号の受信電力目標値である。
本発明にかかる実施例４の好ましい実施方式において、前記アップリンク信号は、PUSCH、PUCCHまたはSRSである。
【０１２１】
＜実施例５＞
本発明にかかる実施例１により提供したネットワーク側のアップリンク電力制御方法及び本発明にかかる実施例３により提供したユーザ側のアップリンク電力制御方法に基づいて、本発明にかかる実施例５には、ネットワーク側装置と、UEとを備えるアップリンク電力制御システムが提供される。
【０１２２】
上記ネットワーク側装置は、UEのアップリンク信号のために、少なくとも２組のアップリンク電力制御パラメータを設定し、設定した各組のアップリンク電力制御パラメータを前記UEへ通知する。
【０１２３】
上記UEは、前記アップリンク信号の送信が必要となる場合、ネットワーク側装置が通知した各組のアップリンク電力制御パラメータから１組のアップリンク電力制御パラメータを選択し、選択した当該組のアップリンク電力制御パラメータに基づいて、前記アップリンク信号の発送電力を確定する。
【０１２４】
ここで、ネットワーク側装置は基地局であることができるが、これに限られない。
【０１２５】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つ或いは複数のコンピュータプログラム製品の形式を採用できる。当該製品はコンピュータ使用可能なプログラムコードを含むコンピュータ使用可能な記憶媒体（ディスク記憶装置と光学記憶装置等を含むがそれとは限らない）において実施する。
【０１２６】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。  
【０１２７】
これらのコンピュータプログラム指令は又、コンピュータ或いは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。
【０１２８】
これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。  
【０１２９】
上述した実施形態に記述された技術的な解決手段を改造し、或いはその中の一部の技術要素を置換することもできる。そのような、改造と置換は本発明の各実施形態の技術の範囲から逸脱するとは見なされない。
【０１３０】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【図１】
2015518304.tif 000010
【図２】
2015518304.tif 000011
【図３】
2015518304.tif 000012
【図４】
2015518304.tif 000013
【図５】
2015518304.tif 000014
【図６】
2015518304.tif 000015
【図７】
2015518304.tif 000016
【国際調査報告】
2015518304.tif 000017
2015518304.tif 000018
2015518304.tif 000019
2015518304.tif 000020